(57)【要約】      （修正有）【課題】ケース内に収納する収納物によって窓の形状や大きさを様々に変えることができ、簡単に窓を形成することができる可変窓付きケースを提供する。【解決手段】ケースを形成する各面のいずれか或いは複数の面に、その周囲をミシン目等の切断ラインにより形成した適宜形状の取り除き可能な切り取り片を設け、切り取り片の取り除きにより適宜大きさ及び形状の窓が形成されるように構成する。窓が形成される面の内側には切り取り片の取り除きによって形成される窓より大きな透明或いは半透明のフィルムを設け、フィルムは想定される最大の大きさとなる窓の切断ラインの外側にその周辺部を固定してなる。【選択図】図１
0003160695.tif 000002
【実用新案登録請求の範囲】
【請求項１】
ケースを形成する各面のいずれか或いは複数の面に、その周囲をミシン目等の切断ラインにより形成した適宜形状の取り除き可能な切り取り片を設け、該切り取り片の取り除きにより適宜大きさ及び形状の窓が形成されるように構成し、上記窓が形成される面の内側には該切り取り片の取り除きによって形成される窓より大きな透明或いは半透明のフィルムを設け、該フィルムは想定される最大の大きさとなる窓の切断ラインの外側にその周辺部を固定してなることを特徴とする可変窓付きケース。
【請求項２】
切り取り片は、小片の組み合わせとし、該小片毎に取り除き可能としたことを特徴とする請求項１記載の可変窓付きケース。
【請求項３】
切り取り片は、円形、楕円形、三角形、四角形、五角形、六角形、七角形、八角形のいずれか或いはそれらの組み合わせとした片とし、その各々が取り除き可能としたことを特徴とする請求項１又は２記載の可変窓付きケース。
【請求項４】
切り取り片は、その周辺に様々な凹凸を設けた不定形形状としたことを特徴とする請求項１又は２記載の可変窓付きケース。
【請求項５】
フィルムは、反復使用可能な可撓性を有するフィルムとし、収納物を弾力保持する位置に設けてなることを特徴とする請求項１乃至４のいずれか記載の可変窓付きケース。
【請求項６】
切り取り片を除去した窓の最終形状は、円形、楕円形、三角形、四角形、五角形、六角形、七角形、八角形のいずれか或いはその組み合わせとしたことを特徴とする請求項１乃至５のいずれか記載の可変窓付きケース。
【請求項７】
切り取り片を除去した窓の最終形状は、不定形形状としたことを特徴とする請求項１乃至５のいずれか記載の可変窓付きケース。
【請求項８】
切り取り片を除去した窓或いは該窓と組み合わされた表面板は、絵画、写真、アニメ等のキャラクタ、各種図形等の様々な模様や形状としたことを特徴とする請求項１乃至５のいずれか記載の可変窓付きケース。
【考案の詳細な説明】
【技術分野】
【０００１】
本考案は、ケースに収納された収納物を保持した状態で必要とする箇所のみを外部から可視したり突出させたりすることのできる可変窓付きケースに関する。
【背景技術】
【０００２】
各種物品の運搬時には厚紙箱、段ボール箱、プラスチック箱等の様々なケースが使用されているが、それらのケースは、該ケースを形成する面全体が閉鎖されているのが一般的であるが、運搬時において収納物に支障をきたさない状態で一部に窓が形成され、その窓を透明や半透明のフィルムにより被覆することによりケース内の収納物が外部から可視できるように形成されているものがある。
【先行技術文献】
【特許文献】
【０００３】
【特許文献１】特許第２９３５６６４号公報
【考案の概要】
【考案が解決しようとする課題】
【０００４】
上記のように、従来のケースは、外部から収納物を可視することができないか或いは可視が可能な場合でも予め定められた大きさの窓が形成されており、ケース内に収納する収納物によって該窓の大きさを自由に変えることはできなかった。また、収納物を保持した状態で必要とする箇所のみを突出させるために窓の大きさを自由に変えることはできなかった。
【０００５】
本考案の可変窓付きケースは、該ケース内に収納する収納物によって窓の形状や大きさを様々に変えることができ、或いはその窓を形成する時期を収納物を収納する前や該収納物を運搬した後等の適宜な時点とすることを可能とすべく簡単に窓を形成することができるものである。
【課題を解決するための手段】
【０００６】
本考案は、ケースを形成する各面のいずれか或いは複数の面に、その周囲をミシン目等の切断ラインにより形成した適宜形状の取り除き可能な切り取り片を設け、該切り取り片の取り除きにより適宜大きさ及び形状の窓が形成されるように構成し、上記窓が形成される面の内側には該切り取り片の取り除きによって形成される窓より大きな透明或いは半透明のフィルムを設け、該フィルムは想定される最大の大きさとなる窓の切断ラインの外側にその周辺部を固定してなる可変窓付きケースを特徴とする。
【０００７】
また、上記切り取り片は、小片の組み合わせとし、該小片毎に取り除き可能とした可変窓付きケースを特徴とする。
【０００８】
更に、上記切り取り片は、円形、楕円形、三角形、四角形、五角形、六角形、七角形、八角形のいずれか或いはそれらの組み合わせとした片とし、その各々が取り除き可能とした可変窓付きケースを特徴とする。
【０００９】
また、上記切り取り片は、その周辺に様々な凹凸を設けた不定形形状とした可変窓付きケースを特徴とする。
【００１０】
更に、上記フィルムは、反復使用可能な可撓性を有するフィルムとし、収納物を弾力保持する位置に設けてなる可変窓付きケースを特徴とする。
【００１１】
また、上記切り取り片を除去した窓の最終形状は、円形、楕円形、三角形、四角形、五角形、六角形、七角形、八角形のいずれか或いはその組み合わせとした可変窓付きケースを特徴とする。
【００１２】
更に、切り取り片を除去した窓の最終形状は、不定形形状とした可変窓付きケースを特徴とする。
【００１３】
また、切り取り片を除去した窓或いは該窓と組み合わされた表面板は、絵画、写真、アニメ等のキャラクタ、各種図形等の様々な模様や形状とした可変窓付きケースを特徴とする。
【考案の効果】
【００１４】
本考案の可変窓付きケースは、ケース内に収納した様々な収納物を該収納物の大きさや形状等の特徴に合わせ、それらを外部から可視できる窓の大きさや形状を自由に変えることを可能としたものである。
【００１５】
また、需要者の希望に合うように外部から可視できる窓の大きさや形状を、小片の切り取り片の取り除き数を適宜選定することによりきめ細かに変えることを可能としたものである。
【００１６】
更に、可視窓の大きさや形状を形成する切り取り片を円形や四角形及び不定形形状等或いは絵画、写真、アニメ等のキャラクタ、図形等の様々な形状が完成できるような小片とすることにより需要者に興味を与えることを可能としたものである。
【００１７】
また、可視窓の形成は所定場所への運搬後にも可能であり、これにより、例えば、運搬時における収納物の保持並びに外部から可視することのできないセキュリティを高めながら収納物の陳列時には可視窓を形成することが可能であり、陳列機能をも兼ね備えたことを可能としたものである。
【００１８】
更に、運搬時にはケースに振動や衝撃が加わることがあるが、該ケースを開放することなく閉鎖した状態で物品を安全に保持した状態で収納運搬することができ、運搬後に可視窓を形成することによって収納物全体を保持した状態で外部から可視できることを可能としたものである。
【図面の簡単な説明】
【００１９】
【図１】本考案の可変窓付きケースの展開図。
【図２】同断面図。
【図３】本考案の可変窓付きケースの他の実施例の展開図。
【図４】本考案の可変窓付きケースの他の実施例の展開図。
【図５】本考案の可変窓付きケースの他の実施例の展開図。
【図６】本考案の可変窓付きケースの他の実施例の展開図。
【図７】（ａ）〜（ｃ）本考案の可変窓付きケースの他の実施例の斜視図。
【考案を実施するための形態】
【００２０】
以下、図面に基づいて本考案の可変窓付きケースの実施例を説明する。
【実施例１】
【００２１】
図１は本考案の可変窓付きケース１の展開図、図２は同断面図を示している。本実施例１では書籍等の薄手の収納物を収納するケースの例を示している。従って、可変窓付きケース１本体を形成する周囲は、表面板２と該表面板２の端縁部側に連続する高さや厚みを形成する側面板３、４、５、６及び該側面板３、４、５、６の各々に連続して裏面を形成する外方へ突出した重ね裏面板７ａ、７ｂ、７ｃ、７ｄとより形成されている。
【００２２】
側面板３、４、５、６は、表面板２の各々の端縁部を直角方向へ折り曲げることによりケース１の高さや厚みとすることができ、更に、該側面板３、４、５、６の各々の端縁部を表面板２の裏面側となる直角方向へ折り曲げることによりケース１の裏面側を形成することができるが、本実施例１では、収納物を表面板２の裏面側に配置後、裏面板７ｂを折り曲げ、その対向する位置にある裏面板７ｄを該裏面板７ｂの上方側に折り曲げて重ね、更に裏面板７ｃを該裏面板７ｂ、７ｄの上方側に折り曲げ、その上方側に対向する位置にある裏面板７ａを折り曲げて重ねている。
【００２３】
上記裏面板７ｂの端部側に形成された長孔８に、折り曲げられた裏面板７ｄの端部側に形成された係止片９を挿入することにより裏面板７ｂ、７ｄ相互を係止することができる。次に、折り曲げられた裏面板７ｃの端部側に形成された長孔１０に、折り曲げられた裏面板７ａの外方に突出形成されている係止片１１を挿入することにより裏面板７ｃ、７ａ相互を係止することができる。
【００２４】
上記表面板２には、開口部となって収納物を外部から可視することのできる窓１２を形成するための切り取り片１３が設けられている。該切り取り片１３の周囲には、切り取り線１４が形成されている。該切り取り線１４は、ミシン目等の破断部として形成され、該切り取り片１３の端部或いは指掛け部１５に指を掛けて持ち上げることにより該表面板２より該切り取り片１３を分離除去することが可能となる。
【００２５】
上記切り取り線１４は、収納物をケース内に収納したときの内側からの圧力やケース１を投げ出したときや何かにぶつけたとき等の通常の衝撃程度では当該箇所が破断し、切り取り片１３が表面板２から分離することのない強さに形成されている。
【００２６】
該切り取り片１３の内側には透明或いは半透明の可撓性フィルム１６が設けられ、その周囲部は表面板２の裏面で切り取り片１３の切り取りにより形成される窓１２の外側に位置する箇所に固定されている。該可撓性フィルム１６は、弾発力に優れた強度のある合成樹脂フィルムを採用することによりケース１内の収納物を押圧し、該収納物が強固に固定されることになる。また、収納物の形状に影響されることなく元の状態に戻る弾力を有しているので、反復使用することができる。
【００２７】
本実施例１の書籍等の薄手の収納物が収納された可変窓付きケース１は、該切り取り片１３を分離除去することによりその裏面側に位置している可撓性フィルム１６が露出することになり、収納物を可視することが可能となる。また、該切り取り片１３の位置する表面板２の押圧力が除去されることになり、その内側に収納されている収納物は該可撓性フィルム１６をケース１の内側から押圧することになり、該収納物を表面側へ突出させることも可能となる。
【００２８】
更に、収納物が大きくて表面板２の裏面側にその一部が隠蔽されているような場合でも、収納物の中心部や切り取り片１３の内側に位置する箇所に突出物があるときは、上記切り取り片１３の除去により押圧力が取り除かれ該突出物は該可撓性フィルム１６を内側から押して表面側へ突出することが可能となる。
【実施例２】
【００２９】
図３は、上記実施例１と同様、書籍等の薄手の収納物を収納する可変窓付きケース２１を示している。ケース２１の周囲は、表面板２２とその端縁部側に連続する側面板２３、２４、２５、２６及び裏面を形成する重ね裏面板２７ａ、２７ｂ、２７ｃ、２７ｄとより形成されている。ケース２１を完成させる組み立ての構成や順序等は上記実施例１と同様である。また、本実施例２では、側面板２３の幅を大きくし、完成したケースの上側部に幅をもたせると同時に、取っ手部を形成した実施例を示している。
【００３０】
表面板２２には、開口部となって収納物を外部から可視することのできる窓２８を形成するための切り取り片２９が設けられている。該切り取り片２９の形状は、菱形状の四角形となる小片として形成されたもので、該表面板２２に多数個設けられている。
【００３１】
該切り取り片２９は、その周囲にミシン目状の切り取り線３０が形成され、切り取り片２９は、その端部に指を掛けたり強く押圧したりすることにより当該箇所を表面板２２から分離除去することができる。
【００３２】
上記実施例１同様、運搬前或いは運搬後等の適宜時点で切り取り片２９を表面板２２から分離除去させることができる。本実施例２の場合は多数の小片としているので、収納される収納物に応じて連続的或いは離れた位置で小片を除去し、大小の適宜大きさとなる窓２８或いは特定の形状の窓２８を形成することができる。
【００３３】
例えば、収納物が書籍であれば、特定の頁の文章や挿絵等を表面にして該書籍をケース２１内に収納し、それらに該当する箇所の切り取り片２９を表面板２２から除去することにより、当該箇所のみを外部から可視することが可能となり、それらの箇所を強調して表現することができる。
【００３４】
また、図３ではテトラポット形状のような形にして切り取り片２９を表面板２２から除去しているが、この形状に限定することなく、ハート型やクローバー型等の様々な形状を適宜形成することができ、意匠的にも優れた窓２８を形成することが可能である。
【００３５】
更に、上記実施例１同様、窓２８の内側には弾力性に優れた透明又は半透明の可撓性フィルムが切り取り片２９に相当する部分の内側にその周辺部を固定した状態で配設されているので、該切り取り片２９を表面板２２から除去すると該可撓性フィルムが収納物を保持しながら該収納物を可視することができ、また、該収納物全体或いはその一部を表面側へ突出させて保持させることも可能となる。
【実施例３】
【００３６】
図４は、上記実施例１、２と同様、書籍等の薄手の収納物を収納する可変窓付きケース３１を示している。該可変窓付きケース３１は、該ケース３１を形成する表面板３２、側面板３３、３４、３５、３６及び裏面を形成する重ね裏面板３７ａ、３７ｂ、３７ｃ、３７ｄとで形成されている。
【００３７】
上記表面板３２には、開口部となる窓３８を形成するための切り取り片３９が設けられている。該切り取り片３９の形状は、円形や１／４円形等の曲線によって囲まれた形状を組合わせた小片として形成されたもので、該表面板３２に多数個設けられている。
【００３８】
該切り取り片３９は、上記曲線で形成された小片の周囲にミシン目状の切り取り線４０が形成され、該切り取り片３９は、その端部に指を掛けたり強く押圧したりする等して表面板３２より当該箇所を分離除去することができる。
【００３９】
上記実施例１、２同様、運搬前或いは運搬後等の適宜時点で切り取り片３９を表面板３２から分離除去させることができる。本実施例３の場合は小片としているので、収納された収納物に応じて連続的或いは離れた位置で該小片を除去し、大小の適宜大きさとなる窓３８或いは特定の形状の窓３８を形成することができる。
【００４０】
例えば、収納物が書籍であれば、特定の頁の文章や挿絵等を表面にして該書籍をケース３１内に収納し、それらに該当する箇所の切り取り片３９を表面板３２から除去することにより、当該箇所のみを外部から可視することが可能となり、それらの箇所を強調して表現することができる。
【００４１】
また、図４では花の変形形状のような形にして切り取り片３９を表面板３２から除去しているが、この形状に限定されることなく、様々な形状を適宜形成することができ、意匠的にも優れた窓３８を形成することが可能である。
【００４２】
更に、上記実施例１、２同様、窓３８の内側には弾力性に優れた可撓性フィルムが切り取り片３９に相当する部分の内側にその周辺部を固定した状態で配設されているので、該切り取り片３９を表面板３２から除去すると該可撓性フィルムが収納物を保持しながら該収納物を可視することができ、また、該収納物全体或いはその一部を表面側へ突出させて保持させることも可能となる。
【実施例４】
【００４３】
図５は、上記実施例１、２、３と同様、書籍等の薄手の収納物を収納する可変窓付きケース４１を示している。該可変窓付きケース４１は、該ケース４１を形成する表面板４２、側面板４３、４４、４５、４６及び裏面を形成する重ね裏面板４７ａ、４７ｂ、４７ｃ、４７ｄとが形成されている。
【００４４】
上記表面板４２には、開口部となる窓４８を形成するための切り取り片４９が設けられている。該切り取り片４９の形状は、凹凸のある不定形形状となる小片として形成されたもので、該表面板４２に多数個設けられている。
【００４５】
該切り取り片４９は、その周囲に上記凹凸のある不定形形状を形成するミシン目状の切り取り線５０が形成され、該切り取り片４９は、その端部に指を掛けたり強く押圧したりする等して表面板４２より当該箇所を分離除去することができる。
【００４６】
また、上記実施例１、２、３同様、運搬前或いは運搬後等の適宜時点で切り取り片４９を表面板４２から分離除去させることができる。本実施例４の場合は小片としているので、収納された収納物に応じて連続的或いは離れた位置で該小片を除去し、大小の適宜大きさとなる窓４８或いは特定の形状の窓４８を形成することができる。
【００４７】
例えば、収納物が書籍であれば、特定の頁の文章や挿絵等を表面にして該書籍をケース４１内に収納し、それらに該当する箇所の切り取り片４９を表面板４２から除去することにより、当該箇所のみを外部から可視することが可能となり、それらの箇所を強調して表現することができる。
【００４８】
また、図５ではジグソーパズルの周囲に凹凸のある形状のような形にして切り取り片４９を除去しているが、この形状に限定することなく、様々な形状を適宜形成することができ、意匠的にも優れた窓４８を形成することが可能である。
【００４９】
更に、上記実施例１、２、３同様、窓４８の内側には弾力性に優れた可撓性フィルムが切り取り片４９に相当する部分の内側にその周辺部を固定した状態で配設されているので、該切り取り片４９を表面板４２から除去すると該可撓性フィルムが収納物を保持しながら該収納物を可視することができ、また、該収納物全体或いはその一部を表面側へ突出させて保持させることも可能となる。
【実施例５】
【００５０】
図６は、上記実施例１乃至４と同様、書籍等の薄手の収納物を収納する可変窓付きケース５１を示している。該可変窓付きケース５１は、該ケース５１を形成する表面板５２、側面板５３、５４、５５、５６及び裏面を形成する重ね裏面板５７ａ、５７ｂ、５７ｃ、５７ｄとが形成されている。
【００５１】
上記表面板５２には、開口部となる窓５８を形成するための切り取り片５９が設けられている。該切り取り片５９の形状は、太鼓の側面形状となる小片として形成されたもので、該表面板５２に多数個設けられている。
【００５２】
該切り取り片５９は、その周囲に上記太鼓の側面形状を形成するミシン目状の切り取り線６０が形成され、該切り取り片５９は、その端部に指を掛けたり強く押圧したりする等して表面板５２より当該箇所を分離除去することができる。
【００５３】
また、上記実施例１乃至４同様、収納物の運搬前或いは運搬後等の適宜時点で切り取り片５９を表面板５２から分離除去させることができる。本実施例５の場合は小片としているので、収納された収納物に応じて連続的或いは離れた位置で該小片を除去し、大小の適宜大きさとなる窓５８或いは特定の形状の窓５８を形成することができる。図６は、離れた位置に太鼓状の窓５８を形成したものを示している。
【００５４】
例えば、収納物が書籍であれば、特定の頁の文章や挿絵等を表面にして該書籍をケース５１内に収納し、それらに該当する箇所の切り取り片５９を表面板５２から除去することにより、当該箇所のみを外部から可視することが可能となり、それらの箇所を強調して表現することができる。
【００５５】
また、図６では太鼓の側面形状のような形にして切り取り片５９を離れた位置で除去しているが、この形状に限定されることなく、また、除去する箇所も限定されることなく、様々な形状を適宜形成することができ、意匠的にも優れた窓５８を形成することが可能である。
【００５６】
更に、上記実施例１乃至４同様、窓５８の内側には弾力性に優れた可撓性フィルムが切り取り片５９に相当する部分の内側にその周辺部を固定した状態で配設されているので、該切り取り片５９を表面板５２から除去すると該可撓性フィルムが収納物を保持しながら該収納物を可視することができ、また、該収納物全体或いはその一部を表面側へ突出させて保持させることも可能となる。
【実施例６】
【００５７】
図７（ａ）は、上記実施例１乃至５より厚み（高さ）のある可変窓付きケース６１を示している。該可変窓付きケース６１は、該ケース６１を形成する表面板６２、側面板６３、６４、６５、上面板６６及び底面板６７とで形成されている。
上記表面板６２には、窓６８を形成するための切り取り片６９が形成され、その周囲にミシン目状の切り取り線７０が形成され、該切り取り片６９は、その端部に形成された指掛け部６９ａに指を掛けたり強く押圧したりする等して表面板６２より当該箇所を分離除去することができる。
【００５８】
また、上記実施例１乃至５同様、収納物の運搬前或いは運搬後等の適宜時点で切り取り片６９を表面板６２から分離除去させることができる。本実施例６の場合は、表面板６２の中央部をほぼ２分割した切り取り片６９とし、その各々を別々に分離させることができるもので、横方向の指掛け部６９ａを利用して分離除去させる実施例としている。従って、図７（ａ）の場合は、指掛け部６９ａを側面板６３側に設け、そちら側から分離するようにしており、表面板６２には指掛け部６９ａが現れないようにしている。
【実施例７】
【００５９】
図７（ｂ）の可変窓付きケース７１は、該ケース７１の表面側となる表面板７２の窓７３を形成するための切り取り片７４は、その下方部に指掛け部７４ａが形成され、該指掛け部７４ａに指を掛けて上方側に持ち上げることにより、該切り取り片７４の周囲に形成されたミシン目状の切り取り線７５に沿って表面板７２から該切り取り片７４が分離除去され、窓７３を形成することができる。
【００６０】
上記実施例７では、切り取り片７４は下方側から上方側へ移動させて表面板７２から分離除去させていたが、切り取り片７４の形状を上下逆にしたり或いは指掛け部７４ａの位置を上方側へ位置させることにより上方側から下方側へと移動させて分離除去することもできる。
【実施例８】
【００６１】
図７（ｃ）の可変窓付きケース８１は、該ケース８１の表面側となる表面板８２の窓８３を形成するための切り取り片８４は、その対角線となる斜め方向の隅上方部に指掛け部８４ａが形成され、該指掛け部８４ａに指を掛けて持ち上げて斜め下方側に移動させることにより、切り取り片８４の周囲に形成されたミシン目状の切り取り線８５に沿って表面板８２から該切り取り片８４が切断され、分離除去されて窓８３を形成することができる。
【００６２】
上記実施例８では、切り取り片８４は隅上方部から表面板８２の対角線方向の隅下方部へ切り取り線８５に沿って移動させることにより表面板８２から分離除去させているが、指掛け部８４ａの位置を隅下方部に設けることにより隅下方部から隅上方部へと移動させて分離除去することもできる。
【００６３】
上記各実施例では、切り取り片の形状は四辺形や六辺形であるが、これに限定されるものではなく、円形、楕円形、三角形、五角形、七角形…或いは不定形等の様々なもの或いはそれらの組み合わせ、絵や写真、各種キャラクター、図形、文字等が考えられる。また、それらのものに各種色彩や各種装飾を施すことも自由にできる。
【００６４】
また、離れた位置にある切り取り片を適宜表面板より分離除去することにより収納物の露出する位置を様々に変えることができるし、切り取り片と切り取り片ではない残部となる表面板とにより各種絵や写真、各種キャラクター、図形、文字等を表現し、それらを組み合わせて楽しむことも可能である。
【符号の説明】
【００６５】
１、２１、３１、４１、５１、６１、７１、８１                  可変窓付きケース
２、２２、３２、４２、５２、６２、７２、８２                  表面板
３、４、５、６、２３、２４、２５、２６                        側面板
７ａ、７ｂ、７ｃ、７ｄ、２７ａ、２７ｂ、２７ｃ、２７ｄ        裏面板
８、１０                                                      長孔
９、１１                                                      係止片
１２、２８、３８、４８、５８、６８、７３、８３                窓
１３、２９、３９、４９、５９、６９、７４、８４                切り取り片
１４、３０、４０、５０、６０、７０、７５、８５                切り取り線
１５、６９ａ、７４ａ、８４ａ                                  指掛け部
１６                                                            可撓性フィルム
３３、３４、３５、３６、４３、４４、４５、４６                  側面板
３７ａ、３７ｂ、３７ｃ、３７ｄ、４７ａ、４７ｂ、４７ｃ、４７ｄ  裏面板
５３、５４、５５、５６、６３、６４、６５                        側面板
５７ａ、５７ｂ、５７ｃ、５７ｄ                                  裏面板
６６                                                            上面板
６７                                                            底面板
【図１】
0003160695.tif 000003
【図２】
0003160695.tif 000004
【図３】
0003160695.tif 000005
【図４】
0003160695.tif 000006
【図５】
0003160695.tif 000007
【図６】
0003160695.tif 000008
【図７】
0003160695.tif 000009